(57)【要約】【課題】表示画像を切り換える際の空白表示や待ち時間の発生を抑え、表示品質を向上させることができる電気泳動表示装置の駆動方法を提供する。【解決手段】本発明の電気泳動表示装置の駆動方法は、一対の基板間に電気泳動素子を挟持してなり、複数の画素が配列された表示部を備えた電気泳動表示装置の駆動方法であって、前記表示部の表示画像を第１の画像から第２の画像に変更するに際して、前記表示部に前記第１の画像と前記第２の画像の双方の画像成分を含む第３の画像を表示させる合成画像表示ステップを有することを特徴とする。【選択図】図６
2011123282.tif 000002
【特許請求の範囲】
【請求項１】
一対の基板間に電気泳動素子を挟持してなり、複数の画素が配列された表示部を備えた電気泳動表示装置の駆動方法であって、
前記表示部の表示画像を第１の画像から第２の画像に変更するに際して、前記表示部に前記第１の画像と前記第２の画像の双方の画像成分を含む第３の画像を表示させる合成画像表示ステップを有することを特徴とする電気泳動表示装置の駆動方法。
【請求項２】
前記合成画像表示ステップにおいて、前記第３の画像の少なくとも一部を中間階調で表示させることを特徴とする請求項１に記載の電気泳動表示装置の駆動方法。
【請求項３】
前記第３の画像が、前記第１の画像の反転画像又は前記第２の画像の反転画像の少なくとも一部を含むことを特徴とする請求項１又は２に記載の電気泳動表示装置の駆動方法。
【請求項４】
前記合成画像表示ステップにおいて、前記第２の画像に対応する画像データ又は反転画像データと、前記第１の画像に対応する画像データ又は反転画像データとを用いた演算処理により得られた差分画像データを用いることを特徴とする請求項１から３のいずれか１項に記載の電気泳動表示装置の駆動方法。
【請求項５】
前記合成画像表示ステップの直前又は直後に、前記第１の画像を消去する画像消去ステップを有することを特徴とする請求項１から４のいずれか１項に記載の電気泳動表示装置の駆動方法。
【請求項６】
前記画像消去ステップにおいて、前記第２の画像に対応する画像データ又は反転画像データと、前記第１の画像に対応する画像データ又は反転画像データとを用いた演算処理により得られた差分画像データを用いることを特徴とする請求項５に記載の電気泳動表示装置の駆動方法。
【請求項７】
前記画像消去ステップの後に、前記第１の画像の輪郭の少なくとも一部を消去する輪郭消去ステップを有することを特徴とする請求項５又は６に記載の電気泳動表示装置の駆動方法。
【請求項８】
前記輪郭消去ステップにおいて、前記第１の画像の輪郭を抽出した画像データと、前記第２の画像との差分画像データを用いることを特徴とする請求項７に記載の電気泳動表示装置の駆動方法。
【請求項９】
一対の基板間に電気泳動素子を挟持してなり、複数の画素が配列された表示部と、前記画素を駆動制御する制御部とを備えた電気泳動表示装置であって、
前記制御部は、
前記表示部の表示画像を第１の画像から第２の画像に変更するに際して、前記表示部に前記第１の画像と前記第２の画像の双方の画像成分を含む第３の画像を表示させる合成画像表示動作を実行することを特徴とする電気泳動表示装置。
【請求項１０】
前記制御部は、前記合成画像表示動作において、前記第３の画像の少なくとも一部を中間階調で表示させることを特徴とする請求項９に記載の電気泳動表示装置。
【請求項１１】
前記第３の画像が、前記第１の画像の反転画像又は前記第２の画像の反転画像の少なくとも一部を含むことを特徴とする請求項９又は１０に記載の電気泳動表示装置。
【請求項１２】
前記合成画像表示動作で用いられる画像データが、前記第２の画像に対応する画像データ又は反転画像データと、前記第１の画像に対応する画像データ又は反転画像データとを用いた演算処理により得られた差分画像データであることを特徴とする請求項９から１１のいずれか１項に記載の電気泳動表示装置。
【請求項１３】
前記制御部は、前記合成画像表示動作の直前又は直後に、前記第１の画像を消去する画像消去動作を実行することを特徴とする請求項９から１２のいずれか１項に記載の電気泳動表示装置。
【請求項１４】
前記画像消去動作で用いられる画像データが、前記第２の画像に対応する画像データ又は反転画像データと、前記第１の画像に対応する画像データ又は反転画像データとを用いた演算処理により得られた差分画像データであることを特徴とする請求項１３に記載の電気泳動表示装置。
【請求項１５】
前記制御部は、前記画像消去動作の後に、前記第１の画像の輪郭の少なくとも一部を消去する輪郭消去動作を実行することを特徴とする請求項１３又は１４に記載の電気泳動表示装置。
【請求項１６】
前記輪郭消去動作で用いられる画像データが、前記第１の画像の輪郭を抽出した画像データと、前記第２の画像との差分画像データであることを特徴とする請求項１５に記載の電気泳動表示装置。
【請求項１７】
請求項９から１６のいずれか１項に記載の電気泳動表示装置を備えたことを特徴とする電子機器。
【発明の詳細な説明】
【技術分野】
【０００１】
本発明は、電気泳動表示装置の駆動方法、電気泳動表示装置、及び電子機器に関するものである。
【背景技術】
【０００２】
電気泳動表示装置の駆動方法において、時刻表示などのために表示画像を高速に切り換える必要がある場合に、画素を飽和駆動させず、中間色で表示させることが提案されている（例えば特許文献１参照）。
【先行技術文献】
【特許文献】
【０００３】
【特許文献１】特開２００８−２０９８９３号公報
【発明の概要】
【発明が解決しようとする課題】
【０００４】
特許文献１記載の駆動方法によれば、表示画像を高速に切り換えることができるとともに、駆動時間の短縮による省電力化が可能である。しかしながら、記憶性を有する電気泳動素子では元の画像を消してから新たな画像を表示させる必要がある。特許文献１記載の駆動方法においてもこの消去動作は必要であるため、中間色駆動により表示動作を高速化しても、画像と画像との間に空白表示の期間や待ち時間があり、表示品質の点で十分であるとはいえなかった。
【０００５】
本発明は、上記従来技術の問題点に鑑み成されたものであって、表示画像を切り換える際の空白表示や待ち時間の発生を抑え、表示品質を向上させることができる電気泳動表示装置の駆動方法、及び電気泳動表示装置を提供することを目的の一つとする。
【課題を解決するための手段】
【０００６】
本発明の電気泳動表示装置の駆動方法は、一対の基板間に電気泳動素子を挟持してなり、複数の画素が配列された表示部を備えた電気泳動表示装置の駆動方法であって、前記表示部の表示画像を第１の画像から第２の画像に変更するに際して、前記表示部に前記第１の画像と前記第２の画像の双方の画像成分を含む第３の画像を表示させる合成画像表示ステップを有することを特徴とする。
【０００７】
この駆動方法では、第１の画像と第２の画像との間に両方の画像を含む第３の画像を表示させて表示画像を更新する。上記第３の画像は、第１の画像を消去することなく第２の画像を上書きしても表示させることができるので、画像書き換えの間に表示部に空白や表示の待ち時間が生じるのを防止することができる。これにより、表示品質を向上させることができる。
【０００８】
前記合成画像表示ステップにおいて、前記第３の画像の少なくとも一部を中間階調で表示させることが好ましい。
この駆動方法によれば、中間階調表示であるため短い駆動時間で表示を移行させることができる。特に第１の画像と第２の画像とで階調値（濃度）を異ならせれば、第１の画像と第２の画像をユーザーが識別可能な状態で第３の画像を表示させることができる。
【０００９】
前記第３の画像が、前記第１の画像の反転画像又は前記第２の画像の反転画像の少なくとも一部を含むことも好ましい。
この駆動方法によれば、画像が書き換えられる領域にカーソル状の矩形領域を表示させることができるため、ユーザーに画像書き換えの途中であることを認識させることができ、ユーザーのストレスを軽減することができる。
【００１０】
前記合成画像表示ステップにおいて、前記第２の画像に対応する画像データ又は反転画像データと、前記第１の画像に対応する画像データ又は反転画像データとを用いた演算処理により得られた差分画像データを用いることが好ましい。
この駆動方法によれば、第１の画像と第２の画像との共通部分の画素を駆動せずに表示画像を更新することができ、画素を駆動する半導体素子や電気泳動素子の負荷を軽減することができる。
【００１１】
前記合成画像表示ステップの直前又は直後に、前記第１の画像を消去する画像消去ステップを有することも好ましい。この駆動方法によれば、第１の画像から第２の画像に徐々に表示を移行させることができる。
【００１２】
前記画像消去ステップにおいて、前記第２の画像に対応する画像データ又は反転画像データと、前記第１の画像に対応する画像データ又は反転画像データとを用いた演算処理により得られた差分画像データを用いることが好ましい。
この駆動方法によれば、第１の画像と第２の画像との共通部分の画素を駆動せずに画像を消去することができ、画素を駆動する半導体素子や電気泳動素子の負荷を軽減することができる。
【００１３】
前記画像消去ステップの後に、前記第１の画像の輪郭の少なくとも一部を消去する輪郭消去ステップを有することも好ましい。この駆動方法によれば、輪郭部分の残像を消去でき、表示品質を高めることができる。
【００１４】
前記輪郭消去ステップにおいて、前記第１の画像の輪郭を抽出した画像データと、前記第２の画像との差分画像データを用いることが好ましい。
この駆動方法によれば、第１の画像と第２の画像との共通部分の画素を駆動せずに輪郭の残像を消去することができ、画素を駆動する半導体素子や電気泳動素子の負荷を軽減することができる。また、輪郭の消去動作によって電気泳動素子の電流バランスが崩れるのを抑制することができる。
【００１５】
次に、本発明の電気泳動表示装置は、一対の基板間に電気泳動素子を挟持してなり、複数の画素が配列された表示部と、前記画素を駆動制御する制御部とを備えた電気泳動表示装置であって、前記制御部は、前記表示部の表示画像を第１の画像から第２の画像に変更するに際して、前記表示部に前記第１の画像と前記第２の画像の双方の画像成分を含む第３の画像を表示させる合成画像表示動作を実行することを特徴とする。
【００１６】
この構成では、第１の画像と第２の画像との間に両方の画像を含む第３の画像を表示させて表示画像を更新する。上記第３の画像は、第１の画像を消去することなく第２の画像を上書きしても表示させることができるので、画像書き換えの間に表示部に空白や表示の待ち時間が生じるのを防止することができる。これにより、表示品質を向上させることができる。
【００１７】
前記制御部は、前記合成画像表示動作において、前記第３の画像の少なくとも一部を中間階調で表示させることが好ましい。
この構成によれば、中間階調表示であるため短い駆動時間で表示を移行させることができる。特に第１の画像と第２の画像とで階調値（濃度）を異ならせれば、第１の画像と第２の画像をユーザーが識別可能な状態で第３の画像を表示させることができる。
【００１８】
前記第３の画像が、前記第１の画像の反転画像又は前記第２の画像の反転画像の少なくとも一部を含むことが好ましい。
この構成によれば、画像が書き換えられる領域にカーソル状の矩形領域を表示させることができるため、ユーザーに画像書き換えの途中であることを認識させることができ、ユーザーのストレスを軽減することができる。
【００１９】
前記合成画像表示動作で用いられる画像データが、前記第２の画像に対応する画像データ又は反転画像データと、前記第１の画像に対応する画像データ又は反転画像データとを用いた演算処理により得られた差分画像データであることが好ましい。
この構成によれば、第１の画像と第２の画像との共通部分の画素を駆動せずに表示画像を更新することができ、画素を駆動する半導体素子や電気泳動素子の負荷を軽減することができる。
【００２０】
前記制御部は、前記合成画像表示動作の直前又は直後に、前記第１の画像を消去する画像消去動作を実行することが好ましい。この構成によれば、第１の画像から第２の画像に徐々に表示を移行させることができる。
【００２１】
前記画像消去動作で用いられる画像データが、前記第２の画像に対応する画像データ又は反転画像データと、前記第１の画像に対応する画像データ又は反転画像データとを用いた演算処理により得られた差分画像データであることが好ましい。
この構成によれば、第１の画像と第２の画像との共通部分の画素を駆動せずに画像を消去することができ、画素を駆動する半導体素子や電気泳動素子の負荷を軽減することができる。
【００２２】
前記制御部は、前記画像消去動作の後に、前記第１の画像の輪郭の少なくとも一部を消去する輪郭消去動作を実行することが好ましい。この構成によれば、輪郭部分の残像を消去でき、表示品質を高めることができる。
【００２３】
前記輪郭消去動作で用いられる画像データが、前記第１の画像の輪郭を抽出した画像データと、前記第２の画像との差分画像データであることが好ましい。
この構成によれば、第１の画像と第２の画像との共通部分の画素を駆動せずに輪郭の残像を消去することができ、画素を駆動する半導体素子や電気泳動素子の負荷を軽減することができる。また、輪郭の消去動作によって電気泳動素子の電流バランスが崩れるのを抑制することができる。
【００２４】
本発明の電子機器は、先に記載の電気泳動表示装置を備えたことを特徴とする。
この構成によれば、表示品質に優れた表示手段を備えた電子機器を提供することができる。
【図面の簡単な説明】
【００２５】
【図１】実施の形態に係る電気泳動表示装置の概略構成図。
【図２】画素回路を示す図。
【図３】電気泳動表示装置の部分断面図及びマイクロカプセルの断面図。
【図４】電気泳動表示装置の動作説明図。
【図５】実施形態に係る駆動方法を示すフローチャート。
【図６】実施形態の駆動方法における表示部の遷移を示す説明図。
【図７】実施形態の駆動方法で用いる画像データを示す説明図。
【図８】図５に対応するタイミングチャート。
【図９】第１変形例に係る第３の画像を示す説明図。
【図１０】第２変形例に係る第３の画像を示す説明図。
【図１１】電子機器の一例である腕時計の正面図。
【図１２】電子機器の一例である電子ペーパーの斜視図。
【図１３】電子機器の一例である電子ノートの斜視図。
【発明を実施するための形態】
【００２６】
以下、図面を用いて本発明の実施の形態について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００２７】
図１は、本発明の一実施の形態である電気泳動表示装置１００の概略構成図である。
電気泳動表示装置１００は、複数の画素４０がマトリクス状に配列された表示部５を備えている。表示部５の周辺には、走査線駆動回路６１、データ線駆動回路６２、コントローラー（制御部）６３、及び共通電源変調回路６４が配置されている。走査線駆動回路６１、データ線駆動回路６２、及び共通電源変調回路６４は、それぞれコントローラー６３と接続されている。コントローラー６３は、上位装置から供給される画像データや同期信号に基づき、これらを総合的に制御する。
【００２８】
表示部５には走査線駆動回路６１から延びる複数の走査線６６と、データ線駆動回路６２から延びる複数のデータ線６８とが形成されており、これらの交差位置に対応して画素４０が設けられている。
走査線駆動回路６１は、ｍ本の走査線６６（Ｙ１、Ｙ２、…、Ｙｍ）を介して各々の画素４０に接続されており、コントローラー６３の制御のもと、１行目からｍ行目までの走査線６６を順次選択し、画素４０に設けられた選択トランジスタ４１（図２参照）のオンタイミングを規定する選択信号を、選択した走査線６６を介して供給する。
データ線駆動回路６２は、ｎ本のデータ線６８（Ｘ１、Ｘ２、…、Ｘｎ）を介して各々の画素４０に接続されており、コントローラー６３の制御のもと、画素４０の各々に対応する１ビットの画素データを規定する画像信号を画素４０に供給する。
なお、本実施形態では、画素データ「０」を規定する場合にはローレベル（Ｌ）の画像信号を画素４０に供給し、画素データ「１」を規定する場合はハイレベル（Ｈ）の画像信号を画素４０に供給するものとする。
【００２９】
表示部５にはまた、共通電源変調回路６４から延びる低電位電源線４９、高電位電源線５０、及び共通電極配線５５が設けられており、それぞれの配線は画素４０と接続されている。共通電源変調回路６４は、コントローラー６３の制御のもと、上記の配線の各々に供給すべき各種信号を生成する一方、これら各配線の電気的な接続及び切断（ハイインピーダンス（Ｈｉ−Ｚ）化）を行う。
【００３０】
図２は、画素４０の回路構成図である。
画素４０には、選択トランジスタ４１（画素スイッチング素子）と、ラッチ回路（メモリ回路）７０と、スイッチ回路８０と、電気泳動素子３２と、画素電極３５と、共通電極３７とが設けられている。画素４０には、走査線６６と、データ線６８と、低電位電源線４９と、高電位電源線５０と、第１の制御線９１と、第２の制御線９２と、が接続されている。画素４０は、ラッチ回路７０により画像信号を電位として保持するＳＲＡＭ（Static Random Access Memory）方式の構成である。
【００３１】
選択トランジスタ４１は、Ｎ−ＭＯＳトランジスタ（Negative Metal Oxide Semiconductor Transistor）からなる画素スイッチング素子である。選択トランジスタ４１のゲートは走査線６６に接続され、ソースはデータ線６８に接続され、ドレインはラッチ回路７０のデータ入力端子Ｎ１に接続されている。
【００３２】
ラッチ回路７０は、転送インバータ７０ｔと帰還インバータ７０ｆとを備えている。転送インバータ７０ｔ及び帰還インバータ７０ｆはいずれもＣ−ＭＯＳインバータである。転送インバータ７０ｔと帰還インバータ７０ｆとは、互いの入力端子に他方の出力端子が接続されたループ構造を成しており、それぞれのインバータには、高電位電源端子ＰＨを介して接続された高電位電源線５０と、低電位電源端子ＰＬを介して接続された低電位電源線４９とから電源電圧が供給される。
【００３３】
転送インバータ７０ｔは、それぞれのドレインをデータ出力端子Ｎ２に接続されたＰ−ＭＯＳトランジスタ（Positive Metal Oxide Semiconductor Transistor）トランジスタ７１とＮ−ＭＯＳトランジスタ７２とを有している。Ｐ−ＭＯＳトランジスタ７１のソースは高電位電源端子ＰＨに接続され、Ｎ−ＭＯＳトランジスタ７２のソースは低電位電源端子ＰＬに接続されている。Ｐ−ＭＯＳトランジスタ７１及びＮ−ＭＯＳトランジスタ７２のゲート（転送インバータ７０ｔの入力端子）は、データ入力端子Ｎ１（帰還インバータ７０ｆの出力端子）と接続されている。
【００３４】
帰還インバータ７０ｆは、それぞれのドレインをデータ入力端子Ｎ１に接続されたＰ−ＭＯＳトランジスタ７３とＮ−ＭＯＳトランジスタ７４とを有している。Ｐ−ＭＯＳトランジスタ７３及びＮ−ＭＯＳトランジスタ７４のゲート（帰還インバータ７０ｆの入力端子）は、データ出力端子Ｎ２（転送インバータ７０ｔの出力端子）と接続されている。
【００３５】
スイッチ回路８０は、第１のトランスミッションゲートＴＧ１と、第２のトランスミッションゲートＴＧ２とを備えて構成されている。
第１のトランスミッションゲートＴＧ１は、Ｐ−ＭＯＳトランジスタ８１とＮ−ＭＯＳトランジスタ８２とからなる。Ｐ−ＭＯＳトランジスタ８１及びＮ−ＭＯＳトランジスタ８２のソースは第１の制御線９１に接続され、Ｐ−ＭＯＳトランジスタ８１及びＮ−ＭＯＳトランジスタ８２のドレインは画素電極３５に接続されている。また、Ｐ−ＭＯＳトランジスタ８１のゲートは、ラッチ回路７０のデータ入力端子Ｎ１に接続され、Ｎ−ＭＯＳトランジスタ８２のゲートは、ラッチ回路７０のデータ出力端子Ｎ２に接続されている。
【００３６】
第２のトランスミッションゲートＴＧ２は、Ｐ−ＭＯＳトランジスタ８３とＮ−ＭＯＳトランジスタ８４とからなる。Ｐ−ＭＯＳトランジスタ８３及びＮ−ＭＯＳトランジスタ８４のソースは第２の制御線９２に接続され、Ｐ−ＭＯＳトランジスタ８３及びＮ−ＭＯＳトランジスタ８４のドレインは、画素電極３５に接続されている。また、Ｐ−ＭＯＳトランジスタ８３のゲートは、ラッチ回路７０のデータ出力端子Ｎ２に接続され、Ｎ−ＭＯＳトランジスタ８４のゲートは、ラッチ回路７０のデータ入力端子Ｎ１に接続されている。また、画素電極３５と共通電極３７との間に電気泳動素子３２が挟持されている。
【００３７】
以上の構成を備えた画素４０において、ラッチ回路７０にローレベル（Ｌ）の画像信号（画素データ「０」）が記憶され、データ出力端子Ｎ２からハイレベル（Ｈ）の信号が出力された場合、第１のトランスミッションゲートＴＧ１がオン状態となり、第１の制御線９１を介して供給される電位Ｓ１が画素電極３５に入力される。
一方、ラッチ回路７０にハイレベル（Ｈ）の画像信号（画素データ「１」）が記憶され、データ出力端子Ｎ２からローレベル（Ｌ）の信号が出力された場合、第２のトランスミッションゲートＴＧ２がオン状態となり、第２の制御線９２を介して供給される電位Ｓ２が画素電極３５に入力される。
そして、画素電極３５に入力された電位Ｓ１、Ｓ２と、共通電極配線５５（図１）を介して共通電極３７に入力された電位Ｖcomとの電位差に基づいて電気泳動素子３２が駆動されることで、画素４０が入力された画像信号に応じた階調で表示される。
【００３８】
次に、図３（ａ）は、表示部５における電気泳動表示装置１００の部分断面図である。電気泳動表示装置１００は、素子基板（第１基板）３０と対向基板（第２基板）３１との間に、複数のマイクロカプセル２０を配列してなる電気泳動素子３２を挟持した構成を備えている。
【００３９】
表示部５において、素子基板３０の電気泳動素子３２側には、図１や図２に示した走査線６６、データ線６８、選択トランジスタ４１、ラッチ回路７０などが形成された回路層３４が設けられており、回路層３４上に複数の画素電極３５が配列形成されている。
素子基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などにより形成された電気泳動素子３２に電圧を印加する電極である。
【００４０】
一方、対向基板３１の電気泳動素子３２側には複数の画素電極３５と対向する平面形状の共通電極３７が形成されており、共通電極３７上に電気泳動素子３２が設けられている。
対向基板３１はガラスやプラスチック等からなる基板であり、画像表示側に配置されるため透明基板とされる。共通電極３７は、画素電極３５とともに電気泳動素子３２に電圧を印加する電極であり、ＭｇＡｇ（マグネシウム銀）、ＩＴＯ（インジウム・スズ酸化物）、ＩＺＯ（インジウム・亜鉛酸化物）などから形成された透明電極である。
そして、電気泳動素子３２と画素電極３５とが、接着剤層３３を介して接着されることで、素子基板３０と対向基板３１とが接合されている。
【００４１】
なお、電気泳動素子３２は、あらかじめ対向基板３１側に形成され、接着剤層３３までを含めた電気泳動シートとして取り扱われるのが一般的である。製造工程において、電気泳動シートは接着剤層３３の表面に保護用の離型シートが貼り付けられた状態で取り扱われる。そして、別途製造された素子基板３０（画素電極３５や各種回路などが形成されている）に対して、離型シートを剥がした当該電気泳動シートを貼り付けることによって、表示部５を形成する。このため、接着剤層３３は画素電極３５側のみに存在することになる。
【００４２】
図３（ｂ）は、マイクロカプセル２０の模式断面図である。マイクロカプセル２０は、例えば５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図３（ａ）に示すように共通電極３７と画素電極３５とに挟持され、１つの画素４０内に１つ又は複数のマイクロカプセル２０が配置される。
【００４３】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００４４】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００４５】
図４は、電気泳動素子の動作説明図である。図４（ａ）は、画素４０を白表示する場合、図４（ｂ）は、画素４０を黒表示する場合をそれぞれ示している。
図４（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図４（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００４６】
［駆動方法］
次に、図５から図８を参照して本実施形態の電気泳動表示装置の駆動方法について説明する。
図５は、電気泳動表示装置１００の駆動方法を示すフローチャートである。
図６（ａ）及び図６（ｂ）は、本実施形態の駆動方法による表示部５の状態遷移を示す説明図である。
図７（ａ）は、本実施形態の駆動方法で用いる画像データを示す説明図であり、図７（ｂ）は、比較対象の駆動方法で用いる画像データを示す説明図である。
図８は、図５に対応するタイミングチャートであり、各ステップに対応させて共通電極３７の電位Ｖcom、第１の制御線９１の電位Ｓ１、及び第２の制御線９２の電位Ｓ２を示している。
【００４７】
以下では、図６（ａ）に示すように、表示部５の時刻表示「１２：００」のうち、分表示の一桁目の文字「０」（第１の画像ＴＸ１）を、電気泳動表示装置１００の部分駆動機能を用いて文字「１」（第２の画像ＴＸ２）に書き換えて時刻表示を「１２：０１」とする場合の駆動方法について説明する。
【００４８】
図５に示すように、本実施形態に係る駆動方法は、第１の画像消去ステップＳ１００と、合成画像表示ステップＳ１０１と、第２の画像消去ステップＳ１０２と、輪郭消去ステップＳ１０３と、を含む。
【００４９】
まず、第１の画像消去ステップＳ１００以前の表示部５は、図６（ａ）に示す「１２：００」の画像表示動作が完了した状態であり、表示部５に接続された各回路は電源オフ状態とされている。そして、第１の画像消去ステップＳ１００に移行すると、走査線駆動回路６１やデータ線駆動回路６２、共通電源変調回路６４に電力が供給され、各回路に接続された配線が電位供給可能な状態となる。また、画素４０のラッチ回路７０にも高電位電源線５０及び低電位電源線４９を介して電力が供給され、画像信号を記憶可能な状態となる。
【００５０】
第１の画像消去ステップＳ１００では、各回路が電源オン状態とされた後、各々の画素４０のラッチ回路７０に画像信号が入力される。すなわち、走査線６６に選択信号であるハイレベル（Ｈ；例えば７Ｖ）のパルスが入力され、かかる走査線６６に接続された選択トランジスタ４１がオン状態とされてデータ線６８とラッチ回路７０とが接続される。これにより、選択トランジスタ４１を介してデータ線６８からラッチ回路７０に画像信号が入力される。
【００５１】
本実施形態の場合、図７（ａ）に示す画像データＤ１に対応する画像信号が入力される。図７（ａ）に示す画像データＤ１において、白のドットが画素データ「１」に対応し、黒のドットが画素データ「０」に対応する。なお、図７（ａ）には、表示部５の更新対象領域の画素４０に入力される画像データＤ１のみを示しており、表示部５のそれ以外の領域の画素４０に入力される画像データは、すべて画素データ「０」（図中の黒のドット）である。
【００５２】
なお、第１の画像消去ステップＳ１００で用いる画像データＤ１は、第１の画像ＴＸ１（文字「０」）に対応する画像データから第２の画像ＴＸ２（文字「１」）に対応する画像データを差し引いて反転させることにより得られる差分画像データである。このような画像データＤ１を用いることで、第１の画像ＴＸ１と第２の画像ＴＸ２との共通部分の書き換えを行わないようにしている。
【００５３】
画像データＤ１の白のドットに対応する画素４０（第１の画像ＴＸ１（文字「０」）の消去される部分）では、選択トランジスタ４１を介してデータ線６８からラッチ回路７０に、画素データ「１」に対応するハイレベル（Ｈ；例えば５Ｖ）の画像信号が入力される。これにより、ラッチ回路７０のデータ出力端子Ｎ２の電位がローレベル電位（例えば０Ｖ）となる。その結果、これらの画素４０では、第２のトランスミッションゲートＴＧ２がオン状態となり、第２の制御線９２（電位Ｓ２）と画素電極３５とが電気的に接続される。
【００５４】
一方、画像データＤ１の黒のドットに対応する画素４０では、選択トランジスタ４１を介してデータ線６８からラッチ回路７０に、画素データ「０」に対応するローレベル（Ｌ；例えば０Ｖ）の画像信号が入力される。これにより、ラッチ回路７０のデータ出力端子Ｎ２の電位が画像信号入力用のハイレベル電位（例えば５Ｖ）となる。その結果、これらの画素４０では、第１のトランスミッションゲートＴＧ１がオン状態となり、第１の制御線９１（電位Ｓ１）と画素電極３５とが電気的に接続される。
【００５５】
なお、上記の画像信号入力の段階では、第１の制御線９１と第２の制御線９２はハイインピーダンス状態に保持されていてもよい。これにより、画像信号入力動作中に表示部５の表示状態が変化してしまうのを防止できる。ただし、時計の時刻表示のように表示部５のごく一部のみを書き換える場合には、画像信号入力の段階から第１の制御線９１及び第２の制御線９２に電位を供給した状態としていてもユーザーの使用感にはほとんど影響しない。
【００５６】
画素４０にそれぞれ対応する画像信号が入力されたならば、電気泳動素子３２を駆動して画像を表示させる。高電位電源線５０の電位Ｖｄｄが、画像信号入力用のハイレベル電位から画像表示用のハイレベル電位ＶＨ（例えば１５Ｖ）に引き上げられる。低電位電源線４９の電位Ｖｓｓは画像表示用のローレベル電位ＶＬ（例えば０Ｖ）とされる。
【００５７】
そして、図８に示すように、共通電極３７（電位Ｖcom）に矩形パルスが入力され、第１の制御線９１（電位Ｓ１）には、共通電極３７と同期した同一形状の矩形パルスが入力される。第２の制御線９２には、ローレベル電位ＶＬが入力される。
【００５８】
上記の電位入力により、画像データＤ１の白のドットに対応する画素４０では、第２のトランスミッションゲートＴＧ２を介して第２の制御線９２から画素電極３５にローレベル電位ＶＬが入力される。これにより、共通電極３７の電位Ｖcomがハイレベル電位ＶＨである期間に、画素電極３５と共通電極３７との電位差により電気泳動素子３２が駆動され、第１の画像ＴＸ１（文字「０」）の一部が白表示動作する。ここで本実施形態では、共通電極３７がハイレベルである期間は１パルス分の期間（例えば１０〜２００ｍｓ）であるため、飽和状態の白表示までは移行せず、第１の画像ＴＸ１の一部が図６（ｂ）に示すようなグレー表示の画像成分ｉｍｇ１となる。
【００５９】
一方、画像データＤ１の黒のドットに対応するその他の画素４０では、第１のトランスミッションゲートＴＧ１を介して第１の制御線９１から画素電極３５に図８に示す矩形パルスが入力される。この矩形パルスは、共通電極３７と同期した同一形状のパルスであるため、画素電極３５と共通電極３７との間に電位差が生じることはなく、電気泳動素子３２が駆動されないため表示は変化しない。
【００６０】
以上の第１の画像消去ステップＳ１００によれば、表示部５に表示されている第１の画像ＴＸ１の一部がグレー表示の画像成分ｉｍｇ１に移行される。
【００６１】
次に、合成画像表示ステップＳ１０１では、図７（ａ）に示す画像データＤ２が表示部５に転送され、対応する画素４０にハイレベル又はローレベルの画像信号が入力される。また、図８に示すように、共通電極３７にハイレベル電位ＶＨとローレベル電位ＶＬとを周期的に繰り返す矩形パルスが入力され、第１の制御線９１にハイレベル電位ＶＨが入力され、第２の制御線９２には共通電極３７と同期した同一形状の矩形パルスが入力される。
【００６２】
画像データＤ２は、第２の画像ＴＸ２（文字「１」）に対応する画像データから、第１の画像ＴＸ１（文字「０」）に対応する画像データのうち文字を構成する部分（画像データＤ０の黒のドットの部分）を差し引いた差分画像データである。このような画像データＤ２を用いることで、第１の画像ＴＸ１と第２の画像ＴＸ２との共通部分に対応する画素４０に重複して書き込みを行うのを防止している。
【００６３】
画像データＤ２の黒のドットに対応する画素４０では、第１のトランスミッションゲートＴＧ１を介して第１の制御線９１から画素電極３５にハイレベル電位ＶＨが入力される。これにより、共通電極３７の電位Ｖcomがローレベル電位ＶＬである期間に電気泳動素子３２が黒表示動作し（図４（ｂ）参照）、図６（ｂ）に示す画像成分ｉｍｇ２が表示され、表示部５に第１の画像ＴＸ１と第２の画像ＴＸ２の双方の画像成分を含む第３の画像ＴＸ３が表示される。
【００６４】
なお、合成画像表示ステップＳ１０１において新たに表示されるのは、画像データＤ２と画像成分ｉｍｇ２とを比較すれば明らかなように、画像成分ｉｍｇ２の一部である。しかし、画像データＤ２に含まれない部分は、第１の画像消去ステップＳ１００で消去されずに黒表示のままとされているため、結果として図６（ｂ）に示すように第２の画像ＴＸ２（文字「１」）が黒表示されることになる。
【００６５】
一方、画像データＤ２の白のドットに対応する画素４０では、第２のトランスミッションゲートＴＧ２を介して第２の制御線９２と画素電極３５とが接続される。これにより、画素電極３５に図８に示す矩形パルスが入力され、画素電極３５と共通電極３７とが同電位に保持される。そのため表示は変化しない。
【００６６】
上記動作により第３の画像ＴＸ３が表示されたならば、第２の画像消去ステップＳ１０２に移行する。
第２の画像消去ステップＳ１０２では、図７（ａ）に示す画像データＤ３が表示部５に転送され、対応する画素４０にハイレベル又はローレベルの画像信号が入力される。また、図８に示すように、共通電極３７にハイレベル電位ＶＨとローレベル電位ＶＬとを周期的に繰り返す矩形パルスが入力され、第１の制御線９１に共通電極３７と同期した同一形状の矩形パルスが入力され、第２の制御線９２にはローレベル電位ＶＬが入力される。
【００６７】
画像データＤ３は、第１の画像消去ステップＳ１００で用いた画像データＤ１と同一の画像データである。このような画像データＤ３を用いることで、画像成分ｉｍｇ２を消去することなく画像成分ｉｍｇ１のみを消去する。
【００６８】
具体的に、画像データＤ３の白のドットに対応する画素４０では、第２のトランスミッションゲートＴＧ２を介して第２の制御線９２から画素電極３５にローレベル電位ＶＬが入力される。これにより、共通電極３７の電位Ｖcomがハイレベル電位ＶＨである期間に電気泳動素子３２が白表示動作し、図６（ｂ）に示す画像成分ｉｍｇ１のみが選択的に消去され、画像成分ｉｍｇ２のみが表示部５に残る。
一方、画像データＤ３の黒のドットに対応する画素４０では、第１の画像消去ステップＳ１００と同様に表示は変化しない。
【００６９】
第２の画像消去ステップＳ１０２により画像成分ｉｍｇ１が消去されたならば、輪郭消去ステップＳ１０３に移行する。
輪郭消去ステップＳ１０３では、図７（ａ）に示す画像データＤ４が表示部５に転送され、対応する画素４０にハイレベル又はローレベルの画像信号が入力される。また、図８に示すように、共通電極３７にハイレベル電位ＶＨとローレベル電位ＶＬとを周期的に繰り返す矩形パルスが入力され、第１の制御線９１に共通電極３７と同期した同一形状の矩形パルスが入力され、第２の制御線９２にはローレベル電位ＶＬが入力される。
【００７０】
画像データＤ４は、画像データＤ１（Ｄ３）のうち、第１の画像ＴＸ１の輪郭に相当する部分のみを抽出し、所定の幅（ドット数）に形成した画像データである。このような画像データＤ４を用いることで、第２の画像消去ステップＳ１０２において消去しきれなかった第１の画像ＴＸ１の輪郭部分を消去する。
【００７１】
表示部５の一部の画素４０のみを駆動して画像の消去を行うと、画像を書き込んだときと消去するときとで電気泳動素子３２に作用する電界の形状が異なり、また電気泳動粒子も種類毎に異なる応答性を有しているために、画像の輪郭部分に薄い残像が生じることがある。輪郭消去ステップＳ１０３を備えることでこのような輪郭の残像を消去することができ、高画質の表示を得ることができる。
【００７２】
画像データＤ４における白のドットからなる画像成分は、画像データＤ１の白のドットの領域のうち文字「０」の輪郭を構成するドットからなる曲線の画像成分を、外側に１ドット分拡張したものである。つまり、画像データＤ１の白のドットと黒のドットとの境界を挟んだ２ドット幅の曲線からなる画像データである。
【００７３】
輪郭消去ステップＳ１０３において、画像データＤ４の白のドットに対応する画素４０では、第２のトランスミッションゲートＴＧ２を介して第２の制御線９２から画素電極３５にローレベル電位ＶＬが入力される。これにより、共通電極３７の電位Ｖcomがハイレベル電位ＶＨである期間に電気泳動素子３２が白表示動作し、第２の画像消去ステップＳ１０２で消去しきれなかった輪郭の残像を消去することができる。
なお、画像データＤ４の黒のドットに対応する画素４０では、第２の画像消去ステップＳ１０２と同様に表示は変化しない。
【００７４】
以上のステップＳ１００〜Ｓ１０３により、図６（ｂ）に示すように第２の画像ＴＸ２（文字「１」）が表示され、図６（ａ）に示すように表示部５の時刻表示が「１２：０１」に更新される。
【００７５】
以上に詳細に説明したように、本実施形態の電気泳動表示装置の駆動方法では、表示部５の表示画像を第１の画像ＴＸ１から第２の画像ＴＸ２に変更する際に、第１の画像ＴＸ１と第２の画像ＴＸ２の双方の画像成分を含む第３の画像ＴＸ３が表示された状態を経由させている。
このような駆動方法とすることで、表示画像を切り換える際の空白表示や待ち時間の発生を抑え、表示品質を向上させることができる。以下、本発明のかかる作用効果について、図７（ｂ）の説明図を参照しつつ詳細に説明する。
【００７６】
図７（ｂ）には、第３の画像ＴＸ３を経由せずに第１の画像ＴＸ１から第２の画像ＴＸ２に移行させる場合に用いる一連の画像データＤ０、Ｄ５１〜Ｄ５２が示されている。これらの画像データＤ５１〜Ｄ５３を用いて第２の画像ＴＸ２を表示させる場合には、画像消去ステップＳ５０１と、輪郭消去ステップＳ５０２と、画像表示ステップＳ５０３とが順次実行される。
【００７７】
画像消去ステップＳ５０１では、表示部５に画像データＤ５１が転送され、入力された画像信号に基づいて第１の画像ＴＸ１の消去動作が実行される。具体的に、画像データＤ５１の白のドットに対応する画素４０が選択的に白表示動作して第１の画像ＴＸ１を消去し、それ以外の黒のドットに対応する画素４０では電気泳動素子３２は駆動されず、表示は変化しない。
次いで、輪郭消去ステップＳ５０２では、本実施形態の輪郭消去ステップＳ１０３と同様の動作により、画像消去ステップＳ５０１で消去しきれなかった第１の画像ＴＸ１の輪郭部分の残像を消去する。
その後、画像表示ステップＳ５０３において、第２の画像ＴＸ２に対応する画像データＤ５３が表示部５に入力され、表示部５に文字「１」の第２の画像ＴＸ２が表示される。
【００７８】
以上の比較対象の駆動方法では、画像消去ステップＳ５０１及び輪郭消去ステップＳ５０２によって第１の画像ＴＸ１を全て消去するため、第２の画像ＴＸ２が表示される前に表示部５に空白が生じ、「１２：０  」のような表示となってしまう。特に低温環境では、電気泳動素子３２の動作が緩慢になり、表示書き換えの時間が比較的長くなってしまうため、上記の空白を含んだ表示が数秒間続いてしまうことも想定される。その結果、表示品質が不十分なものとなるとともに、ユーザーにストレスを感じさせてしまうおそれがある。
【００７９】
これに対して、本実施形態の駆動方法では、第１の画像ＴＸ１と第２の画像ＴＸ２の双方の画像成分を含む第３の画像ＴＸ３を経由させるため、第１の画像消去ステップＳ１００から輪郭消去ステップＳ１０３の間には必ず第１の画像ＴＸ１又は第２の画像ＴＸ２の少なくとも一部が表示されており、空白表示となる期間は生じない。したがって、上述したような空白や表示の待ち時間による表示品質の低下が生じることはなく、またユーザーにストレスを感じさせることもない。
【００８０】
また本実施形態の駆動方法では、第１の画像消去ステップＳ１００において、第１の画像ＴＸ１の消去部分を白表示に移行させるのではなくグレー表示（中間階調表示）に移行させている。その一方で、合成画像表示ステップＳ１０１において第２の画像ＴＸ２を飽和駆動により黒表示させている。
このような駆動方法とすることで、図６（ｂ）に示すように、合成画像表示ステップＳ１０１を実行したときに、元から表示されていた第１の画像ＴＸ１と、新たに表示される第２の画像ＴＸ２との濃度を異ならせることができ、第１の画像ＴＸ１と第２の画像ＴＸ２とを明確に識別することができ、ユーザーの視認性を大きく向上させるとともに、ユーザーに違和感を生じさせない表示となる。
【００８１】
また本実施形態の駆動方法では、図７（ａ）に示したように、第１の画像消去ステップＳ１００〜輪郭消去ステップＳ１０３において、第１の画像ＴＸ１に対応する画像データと、第２の画像ＴＸ２に対応する画像データとを用いた所定の演算処理により得られた差分画像データを用いている。
このような駆動方法とすることで、第１の画像ＴＸ１と第２の画像ＴＸ２との共通部分を消去しないようにし、かつ当該共通部分に重複して書き込まないようにすることができる。これにより、画素４０を駆動するＴＦＴ等の半導体素子や電気泳動素子３２への負荷を軽減することができる。
【００８２】
特に、第１の画像消去ステップＳ１００において上記共通部分もグレー表示に移行させない点は表示品質の点で重要である。第１の画像消去ステップＳ１００において上記共通部分もグレー表示に移行させると、合成画像表示ステップＳ１０１で画像データＤ２を書き込んだときに第２の画像ＴＸ２が黒表示部分とグレー表示部分を含んだ縞模様になり見栄えが悪くなるからである。
【００８３】
また、輪郭消去ステップＳ１０３において上記共通部分に対応する画素４０を駆動しない点は、電気泳動表示装置の信頼性確保の観点から重要である。輪郭消去は、電気泳動素子３２の電流バランスを保持するように駆動したときに残ってしまう残像を消去するために電気泳動素子３２を余分に駆動する動作であるため、電気泳動素子３２の電流バランス（ＤＣバランス）を崩す方向に作用する。そこで本実施形態のように上記共通部分に対応する画素４０を駆動しないようにすることで、電流バランスが崩れる駆動動作を行わずに済み、長期信頼性を確保しやすくなる。
【００８４】
（変形例）
次に、図９及び図１０を参照して上記実施形態の変形例について説明する。
図９及び図１０は、文字「０」「１」「２」「３」を表示部５に順次表示させる場合の表示部５の表示状態の遷移を示した説明図である。
【００８５】
先の実施形態では、第３の画像ＴＸ３において、第１の画像ＴＸ１の画像成分をグレー表示、第２の画像ＴＸ２の画像成分を黒表示とした場合について説明したが、以下の第１変形例及び第２変形例に示すように、第３の画像ＴＸ３の構成はこれに限定されず、種々の形態を採用することができる。
【００８６】
［第１変形例］
図９（ａ）に示す例は、第３の画像ＴＸ３において、第１の画像ＴＸ１（第３の画像ＴＸ３に対して左側に位置する文字）の画像成分を薄いグレー表示とし、第２の画像ＴＸ２（第３の画像ＴＸ３に対して図示右側に位置する文字）の画像成分を濃いグレー表示とした場合である。
図９（ｂ）に示す例は、第３の画像ＴＸ３において、第１の画像ＴＸ１の画像成分と第２の画像ＴＸ２の画像成分の双方を黒表示とした場合である。
【００８７】
図９に示す第１変形例では、第３の画像ＴＸ３における第１の画像ＴＸ１の画像成分の濃度と、第２の画像ＴＸ２の画像成分の濃度との差が、先の実施形態に比して小さいため、第３の画像ＴＸ３を表示させたときの第１の画像ＴＸ１と第２の画像ＴＸ２との識別性は低下する。しかし、先の実施形態と同様の駆動方法を用いることで、第１の画像ＴＸ１から第２の画像ＴＸ２に移行させる間に、表示部５に空白や表示の待ち時間を発生させることはないため、先の実施形態と同様の作用効果を得ることができる。
【００８８】
［第２変形例］
次に、図１０に示す第２変形例は、第３の画像ＴＸ３を構成する画像成分として、第２の画像ＴＸ２の反転画像を用いた場合である。
図１０（ａ）に示す例は、第３の画像ＴＸ３において、第１の画像ＴＸ１（第３の画像ＴＸ３に対して左側に位置する文字）の画像成分を黒表示とし、第２の画像ＴＸ２の画像成分を、黒表示の反転画像とした場合である。
図１０（ｂ）に示す例は、第３の画像ＴＸ３において、第１の画像ＴＸ１の画像成分を薄いグレー表示とし、第２の画像ＴＸ２の画像成分を濃いグレー表示の反転画像とした場合である。
図１０（ｃ）に示す例は、第３の画像ＴＸ３において、第１の画像ＴＸ１の画像成分を濃いグレー表示とし、第２の画像ＴＸ２の画像成分を薄いグレー表示の反転画像とした場合である。
図１０（ｄ）に示す例は、第３の画像ＴＸ３において、第１の画像ＴＸ１の画像成分を黒表示とし、第２の画像ＴＸ２の画像成分を薄いグレー表示の反転画像とした場合である。
【００８９】
図１０に示す第２変形例では、第３の画像ＴＸ３として第２の画像ＴＸ２の反転画像成分を含む画像を用いているため、第１の画像ＴＸ１から第２の画像ＴＸ２へ書き換えられる部分にカーソルが配置されたような表示とすることができる。これにより、画像が書き換えられる途中であることをユーザーに知らせることができるため、表示部５に空白や表示の待ち時間が発生する場合よりもユーザーのストレスを低減することができる。
なお、第２変形例において、第３の画像ＴＸ３を構成する画像成分として、第１の画像ＴＸ１の反転画像を用いてもよいのはもちろんである。
【００９０】
なお、上記実施形態及びその変形例では、画素４０にラッチ回路７０とスイッチ回路８０とを備えた構成の電気泳動表示装置を例示して説明したが、本発明に係る駆動方法は、他の方式の電気泳動表示装置にも問題なく適用できる。すなわち、セグメント方式の電気泳動表示装置であってもよく、画素４０に画素スイッチング素子とキャパシタとを備えた１Ｔ１Ｃ方式の電気泳動表示装置であってもよい。あるいは、スイッチ回路８０を備えないＳＲＡＭ方式の電気泳動表示装置であってもよい。
【００９１】
（電子機器）
次に、上記実施形態及び変形例の電気泳動表示装置を、電子機器に適用した場合について説明する。
図１１は、腕時計１０００の正面図である。腕時計１０００は、時計ケース１００２と、時計ケース１００２に連結された一対のバンド１００３とを備えている。
時計ケース１００２の正面には、上記実施形態及び変形例の電気泳動表示装置からなる表示部１００５と、秒針１０２１と、分針１０２２と、時針１０２３とが設けられている。
時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００９２】
図１２は電子ペーパー１１００の構成を示す斜視図である。電子ペーパー１１００は、上記実施形態及び変形例の電気泳動表示装置を表示領域１１０１に備えている。電子ペーパー１１００は可撓性を有し、従来の紙と同様の質感及び柔軟性を有する書き換え可能なシートからなる本体１１０２を備えて構成されている。
【００９３】
図１３は、電子ノート１２００の構成を示す斜視図である。電子ノート１２００は、上記の電子ペーパー１１００が複数枚束ねられ、カバー１２０１に挟まれているものである。カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００９４】
以上の腕時計１０００、電子ペーパー１１００、及び電子ノート１２００によれば、本発明に係る電気泳動表示装置が採用されているので、表示画像を切り換える際の空白表示や待ち時間の発生を抑え、表示品質を向上させた表示手段を備えた電子機器となる。
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００９５】
５  表示部、３２  電気泳動素子、３５  画素電極、３７  共通電極、４０  画素、４１  選択トランジスタ、６１  走査線駆動回路、６２  データ線駆動回路、６３  コントローラー（制御部）、６４  共通電源変調回路、６６  走査線、６８  データ線、Ｄ１，Ｄ２，Ｄ３，Ｄ４  画像データ、１００  電気泳動表示装置、Ｓ１００  第１の画像消去ステップ、Ｓ１０１  合成画像表示ステップ、Ｓ１０２  第２の画像消去ステップ、Ｓ１０３  輪郭消去ステップ、ＴＸ１  第１の画像、ＴＸ２  第２の画像、ＴＸ３  第３の画像、ｉｍｇ１，ｉｍｇ２  画像成分
【図１】
2011123282.tif 000003
【図２】
2011123282.tif 000004
【図３】
2011123282.tif 000005
【図４】
2011123282.tif 000006
【図５】
2011123282.tif 000007
【図８】
2011123282.tif 000008
【図１１】
2011123282.tif 000009
【図１２】
2011123282.tif 000010
【図１３】
2011123282.tif 000011
【図６】
2011123282.tif 000012
【図７】
2011123282.tif 000013
【図９】
2011123282.tif 000014
【図１０】
2011123282.tif 000015